(57)【要約】【課題】地上波デジタル放送において、視聴可能なすべての放送局から提供される番組に関する番組情報を事前に取得しておき、視聴者が視聴番組を選択する際の便宜を図る地上波デジタル放送受信装置を提供することを目的とする。【解決手段】所定の周波数間隔（ｆ△）で複数の放送チャンネル（ＢＣ）が設定されている地上波デジタル放送波（Ｗｔｄ）を受信して番組情報（ＰＩ）を取得する地上波デジタル放送受信装置（ＲＴＤ）において、受信チャンネル検出器（Ｓ１６）は複数の放送チャンネル（ＢＣ（Ｎ））のなかで受信可能な放送チャンネル（Ｒｃ（Ｎ）を検出し、チャンネル情報生成器（Ｓ１８）は受信可能な放送チャンネル（Ｒｃ（Ｎ））を規定するチャンネル情報（ＲＩ）を生成し、番組情報取得器（Ｓ２４）は受信可能な放送チャンネル（Ｒｃ（Ｎ）で送信されている地上波デジタル放送波（Ｓｔｄ）から番組情報（ＰＩ）を取得する【選択図】        図１
2004207978.tif 000002
【特許請求の範囲】
【請求項１】
所定の周波数間隔で複数の放送チャンネルが設定されている地上波デジタル放送波を受信して、番組情報を取得する地上波デジタル放送受信装置であって、
前記複数の放送チャンネルのなかで受信可能な放送チャンネルを検出する受信チャンネル検出手段と、
当該受信可能な放送チャンネルを規定するチャンネル情報を生成するチャンネル情報生成手段と、
前記受信可能な放送チャンネルで送信されている地上波デジタル放送波から前記番組情報を取得する番組情報取得手段とを備える地上波デジタル放送受信装置。
【請求項２】
前記チャンネル情報は、前記受信チャンネルのチャンネル番号、および放送局を示す放送局ＩＤを含むことを特徴とする請求項１に記載の地上波デジタル放送受信装置。
【請求項３】
前記チャンネル情報は、前記受信チャンネルが過去に検出されたか否かを示す既検出情報をさらに含むことを特徴とする請求項２に記載の地上波デジタル放送受信装置。
【請求項４】
前記受信チャンネル検出手段は、
前記複数の放送チャンネルのなかで所定の周波数に設定された放送チャンネルから順番に、復調ロック検出を行うロック検出手段と、
復調ロックが検出された放送チャンネルに対して、フレーム同期検出を行うフレーム同期検出手段と、
フレーム同期が検出された放送チャンネルを前記受信可能な放送チャンネルとして検出する受信チャンネル決定手段と、
復調ロックが検出されない場合には、前記受信可能な放送チャンネルを中心として所定の周波数帯域に渡って形成される、当該受信チャンネルに設定された周波数以外に関しても復調ロックは検出されるがフレーム同期は検出されない占帯域に含まれる占帯域内放送チャンネルから当該受信チャンネルを除いたチャンネル数の半分に相当する放送チャンネル数だけ離れた放送チャンネルに対して復調ロック検出を行うように、前記ロック検出手段を制御する第１のロック検出制御手段を備える請求項１乃至請求項３の何れかに記載の地上波デジタル放送受信装置。
【請求項５】
前記受信チャンネル検出手段は、フレーム同期が検出されない場合には１放送チャンネル数だけ離れた放送チャンネルに対して復調ロック検出を行うように、前記ロック検出手段を制御する第２のロック検出制御手段を備える請求項１乃至請求項３の何れかに記載の地上波デジタル放送受信装置。
【請求項６】
前記受信チャンネル検出手段は、
フレーム同期が検出された場合には、隣接し得る２つの受信チャンネルの間の最小受信チャンネル間隔に相当するチャンネル数だけ離れた放送チャンネルに対して復調ロック検出を行うように前記ロック検出手段を制御する第３のロック検出制御手段を備える請求項１乃至請求項３の何れかに記載の地上波デジタル放送受信装置。
【発明の詳細な説明】
【０００１】
【発明の属する技術分野】
本発明は、地上波デジタル放送信号を受信して、視聴可能なすべての番組の放送局名、放送内容、および放送予定等の番組情報を取得する地上波デジタル放送受信装置に関する。
【０００２】
【従来の技術】
近年開始された、ＢＳデジタル放送、ＣＳデジタル放送、およびＣＡＴＶ（ケーブルテレビ）などに代表される非地上波デジタル放送においては、非地上波デジタル放送が行われている放送局名、放送内容、および放送予定などの番組情報が付加された非地上波デジタル放送信号が配信されている。具体的には、１つの放送局（チャンネル）から配信される非地上波デジタル放送信号に付加されている番組情報には、その放送局のみならず非地上波デジタル放送を行っている他の放送局（チャンネル）が提供する番組に関する番組情報も含まれている（例えば、特許文献１参照）。
【０００３】
結果、１つの放送局から配信されている非地上波デジタル放送信号を受信すれば、受信した非地上波デジタル放送信号に付加されている番組情報から、すべての放送局から配信されている非地上波デジタル放送に関する番組情報を知ることが出来る。このようにして、非地上波デジタル放送においては、１つの放送局から配信されている非地上デジタル放送信号を受信に要する短い時間で、雑誌などの番組ガイドのような放送信号以外の媒体に頼らなくても、非地上波デジタル放送の全放送局から提供されている番組の番組情報を取得できる。
【０００４】
それゆえに、次に別の放送局から配信されている非地上波デジタル放送信号を受信する前に、既にその放送局の番組情報を取得している。そして、次に別の放送局から配信されている非地上波デジタル放送信号を受信すれば、既に取得している番組情報が自動的に最新のものに更新される。それゆえに、ユーザである視聴者は、このように事前に取得された各放送局の番組情報を参照することによって、非地上波デジタル放送において配信されているすべての番組のうちで好みのものを容易に選択して視聴できる。
【０００５】
【特許文献１】
特開２００２−１１２２０５号公報
【０００６】
【発明が解決しようとする課題】
しかしながら、近々開始が予定されている地上波デジタル放送においては、１つの放送局から配信される地上波デジタル放送波には、その放送局が提供する番組に関する番組情報のみが付加されている。それゆえに、地上波デジタル放送において番組情報を取得するためには、非地上波デジタル放送の場合と異なり、視聴者は、視聴する可能性の有るすべての放送局から提供されている番組情報を入手しなければならない。
【０００７】
つまり、ある放送局が好みの番組を提供しているかどうかを知るために、先ず、その放送局から配信されている地上波デジタル放送信号を受信しなければならない。そして、放送局単位で取得した番組情報を参照して、同放送局から好みの番組が提供されていなければ、さらに別の放送局から配信されている地上波デジタル放送信号を受信するという行為を、放送局毎或いは最悪すべての放送局毎に実行しなければならない。このような行為は、時間を要すると共に非常に煩わしいものである。
【０００８】
地上波デジタル放送の全体として提供されている番組に関する番組情報を入手するために、予めすべての地上波デジタル放送局から受信しておくという煩多な行為を避けるためには、雑誌などの番組ガイドのような放送信号以外の媒体に頼らなくてはならない。しかしながら、地上波デジタル放送においては不要な番組ガイドを入手するための労力および経費の負担は好ましくない。
【０００９】
また、番組情報は、実際に地上波デジタル放送の番組が表示されるテレビジョンの画面上に提示されるほうが、番組ガイドのように画面から離れた位置に番組情報が表示されるより視認性等の観点からも好ましい。特に、地上波デジタル放送を車などの移動体に設置されたテレビジョン受像機で視聴する用途において、この問題は顕著である。基本的に運転者が、車の運転中にテレビジョンを操作すること事態は好ましくないが、運転者が運転中に番組ガイドを見るよりもリモコンなどを操作するほうが遙かに好ましい。
【００１０】
地上波デジタル放送を実施している放送局の数やチャンネルは放送地域毎に異なる。それゆえに、車が別の放送地域に移動した場合には、その地域に対応した番組ガイドを購入する必要が有る。また、視聴者が実際に地上波デジタル放送を受信してその局の番組情報を取得する際にも同様に、その地域に存在する放送局とそのチャンネルを知らなければ番組情報を取得できない。よって、本発明は、地上波デジタル放送において、視聴可能なすべての放送局から提供される番組に関する番組情報を事前に取得しておき、視聴者が視聴番組を選択する際の便宜を図る地上波デジタル放送受信装置を提供することを目的とする。
【００１１】
【課題を解決するための手段および発明の効果】
第１の発明は、所定の周波数間隔で複数の放送チャンネルが設定されている地上波デジタル放送波を受信して、番組情報を取得する地上波デジタル放送受信装置であって、
複数の放送チャンネルのなかで受信可能な放送チャンネルを検出する受信チャンネル検出手段と、
受信可能な放送チャンネルを規定するチャンネル情報を生成するチャンネル情報生成手段と、
受信可能な放送チャンネルで送信されている地上波デジタル放送波から番組情報を取得する番組情報取得手段とを備える地上波デジタル放送受信装置。
【００１２】
上述のように、第１の発明においては、１チャンネルの放送波にはそのチャンネルの番組情報のみが付加されるいる地上波デジタル放送において、全チャンネルの番組情報を自動的に取得できる。
【００１３】
第２の発明は、第１の発明において、チャンネル情報は、受信チャンネルのチャンネル番号、および放送局を示す放送局ＩＤを含むことを特徴とする。
【００１４】
第３の発明は、第２の発明において、チャンネル情報は、受信チャンネルが過去に検出されたか否かを示す既検出情報をさらに含むことを特徴とする。
【００１５】
上述のように、第３の発明においては、地上波デジタル放送受信装置が移動体などに積載されて、受信間環境が変化しても、環境の変化に応じて受信できる番組の番組情報を取得できる。
【００１６】
第４の発明は、第１乃至第３の発明において、受信チャンネル検出手段は、
複数の放送チャンネルのなかで所定の周波数に設定された放送チャンネルから順番に、復調ロック検出を行うロック検出手段と、
復調ロックが検出された放送チャンネルに対して、フレーム同期検出を行うフレーム同期検出手段と、
フレーム同期が検出された放送チャンネルを受信可能な放送チャンネルとして検出する受信チャンネル決定手段と、
復調ロックが検出されない場合には、受信可能な放送チャンネルを中心として所定の周波数帯域に渡って形成される、受信チャンネルに設定された周波数以外に関しても復調ロックは検出されるがフレーム同期は検出されない占帯域に含まれる占帯域内放送チャンネルから受信チャンネルを除いたチャンネル数の半分に相当する放送チャンネル数だけ離れた放送チャンネルに対して復調ロック検出を行うように、ロック検出手段を制御する第１のロック検出制御手段を備える。
【００１７】
上述のように第４の発明においては、より効率よく番組情報を取得できる。
【００１８】
第５の発明は、第１乃至第３の発明において、受信チャンネル検出手段は、フレーム同期が検出されない場合には１放送チャンネル数だけ離れた放送チャンネルに対して復調ロック検出を行うように、ロック検出手段を制御する第２のロック検出制御手段を備える。
【００１９】
上述のように第５の発明においては、第４の発明と同様の効果を有する。
【００２０】
第６の発明は、第１乃至第３の発明の発明において、受信チャンネル検出手段は、
フレーム同期が検出された場合には、隣接し得る２つの受信チャンネルの間の最小受信チャンネル間隔に相当するチャンネル数だけ離れた放送チャンネルに対して復調ロック検出を行うようにロック検出手段を制御する第３のロック検出制御手段を備える。
【００２１】
上述のように第６の発明においては、第４の発明と同様の効果を有する。
【００２２】
【発明の実施の形態】
なお、地上波デジタル放送においては、世界各国で異なった変調方式が採用されており、例えば日本と欧州ではＯＦＤＭ方式が採用され、米国では８ＶＳＢ方式が採用されている。地上波デジタル放送波は、家庭に設置されたテレビジョン受像器で視聴する固定受信モード、携帯端末或いは車載端末などで移動しながら視聴する移動受信モード、および種々の受信環境を想定したキャリア間隔の異なる３種類の伝送モードが設定されている。そして、キャリア変調方式としては、固定受信モードには１６ＱＡＭ方式および６４ＱＡＭ方式が用いられ、移動受信モードにはＤＱＰＳＫ方式およびＱＰＳＫ方式が用いられる。本明細書においては、日本で採用されているＯＦＤＭ方式およびＱＰＳＫ方式を例として説明するが、他の変調方式においても同様であることは言うまでもない。
【００２３】
また、本発明にかかる地上波デジタル放送受信装置は、異なる放送局から配信される地上波デジタル放送信号を異なるチャンネル毎に受信するものである。この意味において、放送局は放送チャンネルとして識別される。よって、本明細書においては、以降、特に区別する必要がない限り、地上波デジタル放送信号を配信する放送局のそれぞれを放送チャンネルとして言及する。
【００２４】
また、本発明においては、地上波デジタル放送受信装置が搭載された車などの移動の結果、受信できるチャンネルが変化したり、また新たな放送局の開局による放送チャンネルの追加（或いはその逆）などに適正に対応して、視聴可能なすべての放送チャンネル（放送局）から配信される地上波デジタル放送のすべての番組情報を取得することを目的とする。それゆえに、地上波デジタル放送のすべての帯域において、放送局によって放送が可能な放送チャンネル（放送可能チャンネルＢＣ）において、放送局からの地上波デジタル放送信号の受信を確認する。
【００２５】
図４を参照して、本発明における放送チャンネルの受信確認方法について簡単に説明する。、一例として、Ｌバンド周波数帯域（１４５３．３８４〜１４９０．６４４ＭＨｚ）に、複数のチャンネルを有するデジタル放送波の放送チャンネルと周波数分布の関係を示す。デジタル放送波とは、デジタル化された複数の音楽等の放送情報、放送識別情報、および付加情報等を一般的にフレームと呼ばれる一定周期毎に、時系列に多重化し、この多重化された信号をＬバンド帯に配置される所定の搬送波にデジタル変調（本発明では、ＱＰＳＫ変調：４値位相変調を意味する）を施した所定の信号帯域幅を有する放送波である。放送識別情報は、放送波から放送情報を分離するために用いられる情報であり、付加情報はフレーム同期を得るための情報である。
【００２６】
同図において、ｆｍｉｎおよびｆｍａｘは、それぞれ放送波の周波数帯域の最小周波数と最大周波数を表している。○は放送波の周波数帯域内に、予め所定の周波数間隔ｆ△毎に割り当てられている放送可能チャンネルＢＣを示している。
●は、○で示した複数の放送可能チャンネルＢＣの内、実際に電波が放送されており受信可能状態にある受信チャンネルＲｃを示している。受信チャンネルＲｃは放送可能チャンネルＢＣでもある。つまり、１放送周波数帯域には、次式（１）で表されるＮｍａｘ個の放送可能チャンネルＢＣが含まれる。
Ｎｍａｘ＝ＲＯＵＮＤ（(ｆｍａｘ−ｆｍｉｎ)／ｆ△）＋１  ・・・（１）
ＲＯＵＮＤ（）は（）内の数字を四捨五入して整数値に丸める関数である。
【００２７】
受信チャンネルＲｃにおいては、そのチャンネルに割り当てられている周波数において、例えばＱＰＳＫロック検出などのように放送波を復調する際にロック検出し、さらに実際にフレーム同期検出をすることによって、放送波に含まれる情報を取り出すことが出来る。同図の例においては、２つのチャンネルＲｃが実際に、放送波を受信している受信チャンネルである。
【００２８】
受信チャンネルＲｃのそれぞれを中心にして、所定の周波数幅ｆｗを有する周波数帯域内に、受信チャンネルＲｃの周波数でなくても放送波を復調してロック検出は可能であるがフレーム同期検出は出来ない占帯域ＦＷが形成される。つまり、占帯域ＦＷ内に含まれる放送可能チャンネルＢＣはすべてロック検出されるが、フレーム同期が検出されるのは受信チャンネルＲｃの唯１つである。この意味において、ロック検出の観点からは、占帯域内の放送可能チャンネルＢＣは受信チャンネルＲｃである可能性を有する受信チャンネル候補である。つまり、１占帯域ＦＷ内には、次式（２）で表されるＮｗ個の受信チャンネルであり得る放送可能チャンネルＢＣ（含む受信チャンネルＲｃ）が存在する。
Ｎｗ＝ＲＯＵＮＤ（ｆｗ／ｆ△−０．５）            ・・・（２）
【００２９】
そして、１占帯域ＦＷには、受信チャンネルＲｃが１つ含まれているので、Ｎｗ−１個の受信チャンネル候補ＢＣはフレーム同期検出の結果受信チャンネルＲｃではないことが分かる。これらのＮｗ−１個の受信チャンネル候補ＢＣは、ロック検出されるがフレーム同期検出されないので、疑似受信チャンネルＲｃ’と呼称する。つまり、受信チャンネルＲｃの両側には、それぞれ次式（３）で表されるＮｓ個の疑似受信チャンネルＲｃ’が存在している。
Ｎｓ＝ＲＯＵＮＤ（Ｎｗ／２−０．５）              ・・・（３）
【００３０】
つまり、占帯域ＦＷ内には、受信チャンネルＲｃの前後に連続してそれぞれＮｓ個の放送可能チャンネルＢＣが疑似受信チャンネルＲｃ’として連続している。これら、占帯域の内側に存在する受信チャンネルＲｃと疑似受信チャンネルＲｃ’を含めて占帯域内放送可能チャンネルＢＣｉと呼ぶ。また、占帯域の外側に存在する放送可能チャンネルＢＣを占帯域外放送可能チャンネルＢＣｏと呼ぶ。言い換えれば、受信チャンネルＲｃからＮｓ番目までに在る占帯域内放送可能チャンネルＢＣｉは疑似受信チャンネルＲｃ’であり、Ｎｓ＋１番目以降で次の占帯域内放送可能チャンネルＢＣｉまでの放送可能チャンネルＢＣは占帯域外放送可能チャンネルＢＣｏである。
【００３１】
このチャンネル数Ｎｓは受信チャンネルＲｃの片側に近接する疑似受信チャンネルＲｃ’の数を示している。つまり、受信チャンネルＲｃからＮｓのチャンネル距離に在る放送可能チャンネルＢＣは占帯域内放送可能チャンネルＢＣｉは疑似受信チャンネルＲｃ’である。この意味において、Ｎｓを近接占帯域内疑似受信チャンネル距離と呼ぶ
【００３２】
なお、上述のような２つの受信チャンネルＲｃ間の周波数距離を受信チャンネル間隔ＦＧと呼ぶ。さらに、Ｒｃｃは、左側に表示されている受信チャンネルＲｃに最も近接した受信チャンネルであり得る受信チャンネル候補の放送チャンネルを示している。受信チャンネル候補Ｒｃｃと近接受信チャンネルＲｃ間の周波数距離を最小受信チャンネル間隔ＦＧ（ｍｉｎ）と呼ぶ。
【００３３】
受信チャンネルＲｃおよび受信チャンネル候補Ｒｃｃにも、それぞれ、占帯域が在り、互いに重複させることは出来ない。よって、最小受信チャンネル間隔ＦＧ（ｍｉｎ）は、次式（４）で表されるＮｇ個の放送可能チャンネルＢＣ（含む受信チャンネルＲｃ）が含まれる。なお、このＮｇを最小受信チャンネルギャップと呼称する。
Ｎｇ＝ＲＯＵＮＤ（ＦＧ／ｆ△−０．５）            ・・・（４）
【００３４】
図５を参照して、図４に示したＬバンド周波数帯域のデジタル放送波に対する、デジタル放送受信機による選局方法の基本的な考え方を説明する。同選局方法においては、単純に周波数をｆ△ずつ増加させながら、放送周波数帯域の最小周波数ｆｍｉｎから最大周波数ｆｍａｘまで、各放送可能チャンネルＢＣ毎にＱＰＳＫロック検出を行う。そして、ＱＰＳＫのロック検出が有れば、さらにフレーム同期検出を行うことにより受信チャンネルの検出を行う。
【００３５】
すなわち受信チェックのために、先ず放送波の周波数帯域に含まれる全放送可能チャンネルＢＣの数Ｎｍａｘ回だけＱＰＳＫロック検出を行う。そして、さらに、全占帯域内に含まれる占帯域内放送可能チャンネルＢＣｉ（含む受信チャンネルＲｃ）の数Ｎｏ回だけフレーム同期検出を行うことにより、実際に地上波デジタル放送を受信できる受信チャンネルＲｃを検出する。
【００３６】
しかしながら、このような方法では、すべての放送可能チャンネルＢＣに対してロック検出およびフレーム同期を行うために効率が良くない。それゆえに、本発明においては、放送チャンネルＢＣのすべてに対するＱＰＳＫロック検出回数および占帯域内の全放送チャンネルＢＣ内に対するフレーム同期検出回数を可能な限り低減して、より高速に受信チャンネルＲｃにサーチする高速サーチするが、これについては後ほど図２を参照して説明する。
【００３７】
なお、受信チャンネルＲｃは実際に地上波デジタル放送を行っていることを意味するが、その逆は必ずしも成立しない。なぜならば、移動体上に設置されている地上波デジタル放送受信装置の受信状態は移動と共に常に変化しているからであり、この点からも、受信チャンネルＲｃの検出でもって、実際に放送を実行している放送局の検出とすることに問題はない。
【００３８】
次に、図１を参照して、本発明の実施の形態にかかる地上波デジタル放送受信装置の構成について説明する。地上波デジタル放送受信装置ＲＴＤは、チューナ１、チャンネルデコーダ２、多重分離器３、デコーダ５、表示器７、番組情報取得制御器９、記憶器１１、入力器１３、ＯＳＤ処理器１５、および制御器２０を含む。
チューナ１は、外部のアンテナＶＳなどの受信手段で受信した地上波デジタル放送波Ｗｔｄの周波数を周波数変換によりダウンコンバートして、任意のチャンネル（放送局）の地上波デジタル放送信号Ｓｔｄを抽出する。
【００３９】
チャンネルデコーダ２は、ＱＰＳＫ復調器２ａ、ＱＰＳＫロック検出器２ｂ、およびフレーム同期器２ｃを含む。ＱＰＳＫ復調器２ａは、チューナ１に接続されて、地上波デジタル放送信号ＳｔｄをＱＰＳＫ復調して復調受信信号Ｓｔｄｄを生成する。ＱＰＳＫロック検出器２ｂは復調受信信号Ｓｔｄｄに基づいて、ＱＰＳＫロックを検出してロック検出信号ＳＬを出力する。フレーム同期器２ｃは、ロック検出信号ＳＬに基づいて、ＱＰＳＫのロックが検出された復調受信信号Ｓｔｄｄ中に一定周期に配置されたフレーム信号の同期を検出し、フレーム同期検出信号ＳＦを出力すると共に、復調受信信号ＳｔｄｄからトランスポートストリームＴＳを生成する。
【００４０】
多重分離器３は、トランスポートストリームＴＳからＭＰＥＧデータＤｍと付加情報ＩＡを分離抽出する。デコーダ５はＭＰＥＧデータＤｍをデコードして、アナログ映像信号Ｓｖａを生成する。入力器１３は、リモコンなどで構成されて、視聴者の操作に応じて、地上波デジタル放送受信装置ＲＴＤに対する操作信号Ｓｏを生成する。
【００４１】
番組情報取得制御器９は、チャンネルデコーダ２に接続されて、ロック検出信号ＳＬ、およびフレーム同期検出信号ＳＦの入力を得る。番組情報取得制御器９は、所定の時刻に発行される番組情報取得要求Ｒｐｉ（図示せず）或いは、操作信号Ｓｏに基づいて、地上波デジタル放送波Ｗｔｄの放送可能チャンネルＢＣ中の受信チャンネルＲｃを検出する受信チャンネルのサーチを行い、検出した受信チャンネルＲｃの情報を示す受信情報信号Ｓｔｄｉを生成する。
【００４２】
つまり、番組情報取得制御器９は、所定の放送チャンネルＮを示すチャンネル信号ＳＮを生成して、概チャンネル信号ＳＮをチューナ１に出力し、チャンネルＮにおける地上波デジタル放送信号Ｓｔｄのデコードを制御するデコード制御信号Ｓｔをチャンネルデコーダ２に出力する。なお、チャンネルサーチ処理においては、個々のチャンネルＮの識別が重要であるので、必要に応じて、各信号を表す符号の接尾辞としてチャンネル識別子（Ｎ）を付す。
【００４３】
チューナ１は、地上波デジタル放送波Ｗｔｄの内チャンネル信号ＳＮで示された放送チャンネルＮ（放送可能チャンネルＢＣ）の周波数に対応する成分である地上波デジタル放送信号Ｓｔｄ（Ｎ）をチャンネルデコーダ２に出力する。チャンネルデコーダ２は、チャンネルデコード制御信号Ｓｔに基づいて、チャンネルＮにおける地上波デジタル放送信号Ｓｔｄ（Ｎ）のデコードを行い、上述の如くロック検出信号ＳＬ（Ｎ）、フレーム同期検出信号ＳＦ（Ｎ）、およびトランスポートストリームＴＳ（Ｎ）を生成する。
【００４４】
番組情報取得制御器９は、チャンネルデコーダ２からのロック検出信号ＳＬ（Ｎ）およびフレーム同期検出信号ＳＦ（Ｎ）に基づいて受信チャンネルＲｃ（Ｎ）を検出する。さらに、番組情報取得制御器９は、これらの信号に基づいて、チューナ１およびチャンネルデコーダ２の制御内容を決定すると共に、チャンネルデコード制御信号Ｓｔを生成する。
【００４５】
番組情報取得制御器９は、さらに、多重分離器３から入力される付加情報ＩＡにも基づいて、番組情報ＰＩ（Ｎ）の取得動作を制御する。なお、取得された番組情報ＰＩ（Ｎ）は受信情報信号Ｓｔｄｉの一部として記憶器１１に格納される。これら受信情報信号Ｓｔｄｉの生成および番組情報ＰＩの取得の動作については、後ほど図２に示すフローチャートを参照して詳述する。
番組情報取得制御器９は、記憶器１１と接続されて受信情報信号Ｓｔｄｉを交換する。
【００４６】
番組情報取得制御器９は、取得した受信情報信号Ｓｔｄｉ記憶器１１から読み出して、ＯＳＤメッセージとして画像表示させるためのＯＳＤ制御信号Ｓｏｓｄを生成する。
【００４７】
ＯＳＤ処理器１５は、ＯＳＤ制御信号Ｓｏｓｄに基づいて、受信情報信号Ｓｔｄｉが表す内容を画像として表すＯＳＤ映像信号Ｓｖｏｓｄを生成して、表示器７に出力する。表示器７は、デコーダ５から出力されるアナログ映像信号Ｓｖａに、ＯＳＤ映像信号Ｓｖｏｓｄを多重した画像或いは、どちらか一方の信号の画像を表示する。
【００４８】
制御器２０は制御信ＳＣを生成して、地上波デジタル放送受信装置ＲＴＤを構成する他のすべての構成要素の動作を制御することによって、地上波デジタル放送受信装置ＲＴＤの全体動作も制御する。
【００４９】
以下に、図２に示すフローチャートを参照して、地上波デジタル放送受信装置ＲＴＤの番組情報取得動作について説明する。地上波デジタル放送受信装置ＲＴＤは、電源が投入されてその動作を開始する。
先ず、ステップＳ２において、番組情報取得要求Ｒｐｉが発行されたか否かが判断される。番組情報取得要求Ｒｐｉは、番組情報取得装置ＰＩＡにおいて所定の時刻に発行されるように予め設定しておいても良いし、ユーザが入力器１３を操作して入力するようにしても良いことは上述の通りである。番組情報取得要求Ｒｐｉが発行されて時点で、Ｙｅｓと判断される。そして、制御は次のステップＳ４に進む。
【００５０】
ステップＳ４において、番組情報取得制御器９は地上波デジタル放送波Ｗｔｄにおいて実際に受信可能な放送局（受信チャンネルＲｃ）を探すチャンネルサーチ処理を開始する。そして、制御は次のステップＳ６に進む。
【００５１】
ステップＳ６において、番組情報取得制御器９は、受信チャンネル（受信チャンネルＲｃ）であるか否かを検出する対象の放送チャンネル（放送可能チャンネルＢＣ）を示すチャンネル数Ｎを、サーチ対象放送周波数帯域において最小の周波数を有する受信チャンネルより小さな周波数を有する放送チャンネルＮを示すように初期設定する。本例では、サーチ対象放送周波数帯域に含まれるＮｍａｘ個の放送チャンネルの内で最小の周波数を有する放送チャンネルを示す最小チャンネル番号Ｎｍｉｎ（０）に設定した後、制御は次のステップＳ８に進む。
【００５２】
ステップＳ８において、番組情報取得制御器９は、受信チャンネルであるか否かの検出の対象である、受信チャンネル候補Ｒｃｃ（Ｎ）を決定するチャンネル数Ｎを示すチャンネル信号ＳＮを生成する。そして、チューナ１はチャンネル信号ＳＮに基づいて、チャンネル番号Ｎｍｉｎ（０）に対応する周波数成分の地上波デジタル放送信号Ｓｔｄ（Ｎ）を生成して、チャンネルデコーダ２に出力する。そして、制御はステップＳ１０に進む。
【００５３】
ステップＳ１０において、ＱＰＳＫ復調器２ａは地上波デジタル放送信号Ｓｔｄ（Ｎ）から、復調受信信号Ｓｔｄｄ（Ｎ）を生成する。ＱＰＳＫロック検出器２ｂは、復調受信信号Ｓｔｄｄ（Ｎ）に対してＱＰＳＫロック検出を行いロック検出信号ＳＬ（Ｎ）を生成した後、次のステップＳ１２に進む。
【００５４】
ステップＳ１２においては、ロック検出信号ＳＬ（Ｎ）に基づいて、現在検出対象である放送可能チャンネルＢＣ（Ｎ）が受信チャンネルＲｃの可能性が有るか否かが判断される。ロック検出信号ＳＬ（Ｎ）がハイの場合はＹｅｓ、つまり放送可能チャンネルＢＣ（Ｎ）は受信チャンネルＲｃ（Ｎ）の可能性有りと、判断されてステップＳ１４に進む。
【００５５】
ステップＳ１４においては、フレーム同期器２ｃによって、ＱＰＳＫロックが検出された時点の復調受信信号Ｓｔｄｄ（Ｎ）に対して、フレーム同期検出処理が行われて、フレーム同期検出信号ＳＦ（Ｎ）が生成される。そして、制御は次のステップＳ１６に進む。
【００５６】
ステップＳ１６においては、フレーム同期検出信号ＳＦ（Ｎ）に基づいて、現在検出対象である放送可能チャンネルＢＣ（Ｎ）が受信チャンネルＲｃであるか否かが判断される。Ｙｅｓ、つまりフレーム同期検出信号ＳＦ（Ｎ）がハイの場合は、コンテンツ情報（トランスポートストリームＴＳ）が復調できているので、現放送可能チャンネルＢＣ（Ｎ）が受信チャンネルＲｃ（Ｎ）であると判断される。そして、制御は次のステップＳ１８に進む。
【００５７】
ステップＳ１８において、番組情報取得制御器９は受信チャンネルＲｃ（Ｎ）と判断されたチャンネル番号Ｎおよびその周波数等の情報を示す受信情報ＲＩ（Ｎ）を示す受信情報信号Ｓｔｄｉ（Ｎ）を記憶器１１に出力する。記憶器１１は受信情報信号Ｓｔｄｉ（Ｎ）に基づいて、受信情報ＲＩ（Ｎ）として格納する。そして、制御は次のステップＳ２０に進む。
【００５８】
ステップＳ２０においては、上述のステップＳ１８において受信チャンネルＲｃ（Ｎ）として判断されたチャンネルＮ（放送可能チャンネルＢＣ（Ｎ））が、これまでに受信チャンネルＲｃ（Ｎ）と検出されていなかった新たな地上波デジタル放送局を示すか否かが判断される。具体的には、ステップＳ１８で出力された受信情報ＲＩ（Ｎ）が既に記憶器１１は格納されていなければ新たな放送局であると判断される。そして、制御はステップＳ２２に進む。
【００５９】
ステップＳ２２において、受信情報ＲＩ（Ｎ）が記憶器１１に格納されて、新規放送局（受信チャンネルＲｃ（Ｎ））に関する情報が記憶器１１に追記される。そして、制御は次のステップＳ２４に進む。
【００６０】
一方、上述のステップＳ２０においてＮｏ、つまり受信情報ＲＩ（Ｎ）は従来より検出されている放送局を示している場合、制御はステップＳ２２をスキップしてステップＳ２４に進む。
【００６１】
ステップＳ２４において、番組情報取得制御器９によって付加情報ＩＡから番組情報ＰＩ（Ｎ）が取得される。そして、番組情報ＰＩ（Ｎ）は記憶器１１に格納されている番組情報テーブルＰＩＴ（Ｎ）に格納される。そして、制御は次のステップＳ２６に進む。
【００６２】
ステップＳ２６において、番組情報取得制御器９はチャンネル番号Ｎを最小受信チャンネル間隔ＦＧ（ｍｉｎ）に相当する最小受信チャンネルギャップＮｇだけインクリメントする。そして、制御は次のステップＳ３２に進む。
【００６３】
一方ステップＳ１６においてＮｏ、つまりフレーム同期検出信号ＳＦがロー、つまり現在検出対象の放送可能チャンネルＢＣ（Ｎ）は受信チャンネルＲｃではない占帯域内放送可能チャンネルＢＣｉと判断される場合、制御はステップＳ２８に進む。
【００６４】
ステップＳ２８においては、番組情報取得制御器９はチャンネル番号Ｎを隣接チャンネル距離である１だけインクリメントして、ステップＳ８に戻る。これは、図４を参照して説明したように、占帯域内放送可能チャンネルＢＣｉの隣接チャンネルは、受信チャンネルＲｃである可能性が有るためである。これは、後述のステップＳ３０におけるチャンネル番号のインクリメント量が近接占帯域内放送チャンネル距離Ｎｓである場合と違う理由である。
【００６５】
一方、ステップＳ１２においてＮｏ、つまりロック検出信号ＳＬ（Ｎ）がローの場合は放送可能チャンネルＢＣ（Ｎ）は受信チャンネルＲｃ（Ｎ）の可能性がないと判断される。そして制御は、上述のステップＳ１４〜Ｓ２４をスキップして、ステップＳ３０に進む。
【００６６】
ステップＳ３０においては、番組情報取得制御器９はチャンネル番号Ｎを近接占帯域内放送チャンネル距離Ｎｓだけインクリメントして、ステップＳ３２に進む。これは、図４を参照して説明したように、受信チャンネルＲｃから近接占帯域内放送チャンネル距離Ｎｓ内の放送可能チャンネルＢＣはすべて占帯域内放送可能チャンネルＢＣｉである。よって、既に受信チャンネルＲｃが検出されている以上、これらＮｓ個の占帯域内放送可能チャンネルＢＣｉに対して、受信チャンネルＲｃであるか否かを検出する必要はない。それゆえに、これら占帯域内放送可能チャンネルＢＣｉを検出対象から除外して、検出された受信チャンネルＲｃに最も近接した占帯域外放送可能チャンネルＢＣｏを次の検出対象として設定することにより、サーチ効率の向上を図るものである。
【００６７】
ステップＳ３２において、番組情報取得制御器９はＮが最大値チャンネル数Ｎｍａｘより大きいか否かに基づいて、対象放送周波数帯域内にさらに受信チャンネルＲｃか否かを検出すべき放送可能チャンネルＢＣが残っていないかを判断する。Ｎ＞Ｎｍａｘでない場合は、つまり対象放送周波数帯域内に、受信チャンネルＲｃかどうかを検出すべき放送可能チャンネルＢＣが残っていると判断されて、制御は前述のステップＳ８に戻る。そして、放送可能チャンネルＢＣ（Ｎ＝Ｎ＋Ｎｓ、Ｎ＝Ｎ＋Ｎｇ、N=Ｎ＋１）に関して、上述のステップＳ１０〜Ｓ３２の処理を繰り返す。
【００６８】
ステップＳ３２でＹｅｓ、つまりＮ＞Ｎｍａｘである場合は、対象放送周波数帯域内に、受信チャンネルＲｃかどうかを検出すべき放送可能チャンネルＢＣはもう残っていないと判断して制御を終了する。つまり、検出されたすべての受信チャンネルＲｃ（Ｎ）の受信情報ＲＩ（Ｎ）が記憶器１１に格納されて、本地上波デジタル放送受信装置ＲＴＤにおいて受信可能な地上波デジタル放送の受信情報ＲＩが完成される。
【００６９】
図３を参照して、受信情報ＲＩおよび番組情報ＰＩについて説明する。同図に例示されるように、番組情報ＰＩは、Ｎｍａｘ個の番組情報ＰＩ（Ｎ）から構成される。受信情報ＲＩには、放送可能チャンネルＢＣ（Ｎ）、放送局ＢＣｉｄ（Ｎ）、新ＦＢ（Ｎ）、および番組情報ＰＩ（Ｎ）が含まれる。放送局ＢＣｉｄ（Ｎ）は、放送可能チャンネルＢＣ（Ｎ）において放送をしている放送局である受信チャンネルＲｃ（Ｎ）を特定するＩＤ情報である。同図においてはＮ＝２のＮＨＫ、Ｎ＝３０のＸＹＺが対応する。
【００７０】
新ＦＢ（Ｎ）は、受信チャンネルＲｃ（Ｎ）が新たに検出されたか否かをＨ（ハイ）とＬ（ロー）の二値で表す。同図においては、Ｎ＝３０のＸＹＺ放送局（受信チャンネルＲｃ（３０））が新たに検出された放送局であることが示されている。
【００７１】
番組情報ＰＩ（Ｎ）は、受信チャンネルＲｃ（Ｎ）が提供する番組情報である。同図においては、受信チャンネルＲｃ（３０）のＸＹＺ放送局の番組情報ＰＩ（３０）が例示されている。
【００７２】
詳しく言えば、上述のステップＳ１８において受信情報ＲＩの内の放送可能チャンネルＢＣ（Ｎ）と放送局ＢＣｉｄ（Ｎ）が検出されて、ステップＳ２２において新ＦＢ（Ｎ）が検出されて、そして、ステップＳ２４において番組情報ＰＩ（Ｎ）が検出されて、それぞれのステップで、受信情報ＲＩ（Ｎ）の一部として記憶器１１に格納される。つまり、ステップＳ２４に受信情報ＲＩ（Ｎ）が完成される。なお、受信情報ＲＩ（Ｎ）をステップＳ２４で一括して格納するようにしても良い。そして、ステップＳ３２でＮｏと判断されて、次の受信情報ＲＩ（Ｎ＋Ｎｓ、Ｎ＋Ｎｇ、Ｎ＋１）が検出されて、記憶器１１に格納される。ステップＳ３２でＹｅｓと判断された時点で、受信情報ＲＩが完成する。
【００７３】
上述のようにして、本発明にかかる地上波デジタル放送受信装置ＲＴＤは、ユーザが特に視聴を望む或いは望まないに関わらず、任意の時間帯に地上波デジタル放送の全周波数帯域において、受信可能なチャンネル（放送局）からの地上波デジタル放送信号受信する。そして、地上波デジタル放送において受信できるチャンネルから提供されているすべての番組情報が自動的に取得されて、ユーザの選局動作の便宜を図るものである。
【図面の簡単な説明】
【図１】本発明の実施の形態にかかる地上波デジタル放送受信装置の構成を示すブロック図である。
【図２】図１に示した地上波デジタル放送受信装置の番組情報取得動作を示すフローチャートである。
【図３】図１に示した地上波デジタル放送受信装置において取得される番組情報の表示表示例を示す説明図である。
【図４】図１に示した地上波デジタル放送受信装置における放送チャンネルの受信確認方法についての説明図である。
【図５】図１に示した地上波デジタル放送受信装置における、選局サーチ方法の説明図である。
【符号の説明】
ＲＴＤ  地上波デジタル放送受信装置
ＶＳ  アンテナ
１  チューナ
２  チャンネルデコーダ
２ａ  ＱＰＳＫ復調器
２ｂ  ＱＰＳＫロック検出器
２ｃ  フレーム同期器
３  多重分離器
５  デコーダ
７  表示器
９  番組情報取得制御器
１１  記憶器
１３  入力器
１５  ＯＳＤ処理器
２０  制御器
【図１】
2004207978.tif 000003
【図２】
2004207978.tif 000004
【図３】
2004207978.tif 000005
【図４】
2004207978.tif 000006
【図５】
2004207978.tif 000007